(57)【要約】【課題】多彩な表示演出が可能で、遊技者を飽きさせることのない興趣の豊かな遊技機を提供すること。【解決手段】  遊技盤２１に、液晶表示やＬＥＤ表示等により画像を変動表示せしめる画像表示装置６を備えた遊技機において、上記画像表示装置６の画像表示器６１の表示面の前方に、フレキシブルな透明フィルム５４１またはベルト５３に半透明ないし不透明の図柄５５を設け、該図柄５５の間から背面側の上記画像表示装置６の画像表示器６１を透視可能な表示媒体５４を張設し、駆動機構５１ａ，５１ｂにより上記表示媒体５４を左右または上下方向に移動制御せしめて、上記図柄５５が上記画像表示器６１の前面位置に進退出せしめる補助図柄装置５を付設し、必要に応じて上記図柄５５を画像表示器６１の前面位置に進出せしめ、図柄５５と画像表示器６１の画像を組み合わせた遊技進行上の表示演出を行う。【選択図】        図２
2005245732.tif 000002
【特許請求の範囲】
【請求項１】
遊技盤に、液晶表示やＬＥＤ表示等により画像を変動表示せしめる画像表示装置を備えた遊技機において、
上記画像表示装置の表示面の前方に、フレキシブルな透明フィルムまたはベルトに半透明ないし不透明の図柄を設け、該図柄の間から背面側の上記画像表示装置を透視可能な表示媒体を張設し、
駆動機構により上記表示媒体を左右または上下方向に移動制御せしめ、上記図柄を上記画像表示装置の前面位置に進退出可能とする補助図柄装置を付設したことを特徴とする遊技機。
【請求項２】
上記表示媒体を、その上記透明フィルムまたは上記ベルトを環状に形成し、上記駆動機構として上記画像表示装置の左右両側または上下両側に設けた複数の回転軸に架けまわして上記画像表示装置を囲むように張設した請求項１に記載の遊技機。
【請求項３】
上記画像表示装置の表示面の前方に、複数の上記表示媒体を張設した請求項１ないし２に記載の遊技機。
【発明の詳細な説明】
【技術分野】
【０００１】
遊技盤に、画像を変動表示せしめる画像表示装置を備えた遊技機に関する。
【背景技術】
【０００２】
従来、遊技機たるパチンコ機には、遊技盤に液晶表示やＬＥＤ表示等により画像を変動表示せしめる画像表示装置を備え、遊技球が所定の領域に進入すると、複数の画像を変動表示し、表示された画像が予め設定された画像であれば大当りとなって多数の賞球が獲得可能な、遊技者にとって有利な特別遊技に移行するものがある。
【０００３】
この種のパチンコ機では、上記画像表示装置の画面にキャラクタ等を表示し、大当りとなりそうなリーチ予告や大当り予告を演出したり、これらリーチ予告や大当り予告に合わせてランプ表示や音声を発生させて遊技者の期待感を高めるようにしている。
【０００４】
しかしながら、上記画像表示装置の画面で行われるリーチ予告や大当り予告では、多種類のパチンコ機において、キャラクタ等に違いは有るものの、遊技者にとってはどのパチンコ機でも同じような演出であり、直ぐに飽きてしまって面白みに欠けるといった問題があった。
【０００５】
また、下記特許文献に記載されたように、遊技盤の前面を覆う透明前面扉の透光面を横断するように、帯状透明フィルムの部分帯域上に報知指標が設けられた可撓性報知帯を張設し、上記透明前面扉の一方の側端に設けた走行制御手段で上記可撓性報知帯を巻き取りつつ長手方向に沿って移動制御させ、上記報知指標を透明前面扉の透光面上に表示したり、透光面外へ退出させたりするようにしたものが提案されている。これによれば、画像表示装置の画像と上記可撓性報知帯の報知指標とを組み合わせた演出ができるが、透明前面扉の透光面を横断するように設けられた上記可撓性報知帯は移動範囲が広く報知指標の進退移動に時間がかったかり、可撓性報知帯が透明前面扉の一方の走行制御手段に巻き取られるので他方へ巻き戻す必要があり、テンポよく実行される遊技の流れが滞り、遊技者が興ざめするといった問題や、巻き戻しにより遊技に弊害をもたらすおそれがあった。
【０００６】
また、一般のパチンコ機では複数パターンのリーチ演出等が設定されているため、リーチ等の演出時に可撓性報知帯に設けられている図柄と画像表示装置で表現される演出を連動させて、演出面での効果をあげることは困難であった。例えば可撓性報知帯に設けられている図柄が１つの図柄であるとすれば、画像表示装置の全てのパターンのリーチ演出時に毎回同じ可撓性報知帯の図柄が表示されることとなると興ざめする。また可撓性報知帯に複数の図柄が設けられている場合には、画像表示装置のリーチ演出等はパターンがランダムに決定されるので、特定のリーチ演出に特定の報知帯の図柄を表示して演出を行うことは不可能であり、画像表示装置での演出と報知帯の図柄は統一性を欠き、内容の分かりにくい演出となってしまう。従って、実用性は乏しく、リーチや大当り予告の演出面での効果は薄いものであった。
【特許文献１】特開２００３−１５４０７３号公報
【発明の開示】
【発明が解決しようとする課題】
【０００７】
そこで本発明は、補助図柄装置を用いて画像表示装置と統一性のある多彩な表示演出が可能で、遊技者を飽きさせることのない興趣の豊かな遊技機を提供することを課題としてなされたものである。
【課題を解決するための手段】
【０００８】
本発明は  遊技盤に、液晶表示やＬＥＤ表示等により画像を変動表示せしめる画像表示装置を備えた遊技機において、上記画像表示装置の表示面の前方に、フレキシブルな透明フィルムまたはベルトに半透明ないし不透明の図柄を設け、該図柄の間から背面側の上記画像表示装置を透視可能な表示媒体を張設し、駆動機構により上記表示媒体を左右または上下方向に移動制御せしめ、上記図柄を上記画像表示装置の前面位置に進退出可能とする補助図柄装置を付設せしめた（請求項１）。図柄を必要なときに画像表示装置の前面へ進出せしめたり、画像表示装置の前面外側へ退出せしめたりして、画像表示装置の画像と表示媒体の図柄とを合わせてバリエーションの多い遊技進行上の演出が可能となる。
【０００９】
上記表示媒体を、その上記透明フィルムまたは上記ベルトを環状に形成し、上記駆動機構として上記画像表示装置の左右両側または上下両側に設けた複数の回転軸に架けまわし、上記画像表示装置を囲むように張設せしめた（請求項２）。図柄の上記進出位置と上記退出位置との間の移動距離が短くすみ、かつ従来構造のように透明フィルムの巻き戻しが不要で、迅速に図柄を進退移動させることができ、メリハリのある演出ができる。
【００１０】
上記画像表示装置の表示面の前方に、複数の上記表示媒体を張設せしめた（請求項３）。図柄の種類を多くでき、より多彩な演出ができる。即ち複数の表示媒体を設けることにより、リーチ時等の画像表示装置の演出への対応の幅が広がり、例えばリーチ時においては複数のパターンがあるリーチ演出に対して、各々表示媒体を個別に対応させることができるので、確実に画像表示装置で行われている表示内容と表示媒体を連動させて演出することができる。
【発明の効果】
【００１１】
本発明は、補助図柄装置を用いて画像表示装置と統一性のある多彩な表示演出が可能で、遊技者を飽きさせることのない興趣の豊かな遊技機を提供することができる。
【発明を実施するための最良の形態】
【００１２】
本発明の第１の実施形態を図１ないし図５に基づいて説明する。図１は遊技機の全体図を示し、遊技機は長方形の外枠１１１と前面枠１１２とを有し、前面枠１１２は、左端上下のヒンジ１１６により外枠１１１に対し水平方向に回動自在に取り付けられており、前面枠１１２と一体化している各部をメンテナンス時等に手前側に開き出すことが可能である。遊技機は、通常複数列レイアウトされる遊技機設置島に外枠１１１にて取り付けられ、プリペードカードユニットと交互に配置される。
【００１３】
前面枠１１２の内側には、前面枠１１２の高さ方向の上側略２／３の大きさをカバーする金枠１１３が取り付けられ、金枠１１３の左側を支軸にして金枠１１３の内周を縁取るガラス枠１１４が開閉可能に蝶着される。ガラス枠１１４にはガラス板１１５が二重に装填されている。ガラス板１１５の奥側で前面枠１１２の内側には遊技盤２１が収納され、ガラス板１１５を挟んで遊技者と対向するようになっている。
【００１４】
前面枠１１２の内側にはまた、金枠１１３の下方にバスタブ状の上皿１２１と下皿１２４とが手前側に突出して設けられている。上皿１２１の本体部にはエボナイド等の汚れのつきにくいものが用いられる。上皿１２１の側面には賞球の払出し用等の排出口１２２が開口している。
【００１５】
上皿１２１は左右に手前に膨出する膨出部を有し、左側の膨出部の頂部には、上記プリペードカードユニットに挿入されたプリペードカードの残高を表示する残高表示部１３３、遊技球の貸し出しを受ける場合に押下する球貸し釦１３１および精算する場合の精算釦１３２が設けられている。
【００１６】
下皿１２４は側面に溢れ球排出口１２５が開口しており、上皿１２１満杯時の溢れ球が流入するとともに発射し損ねた戻り球の出口となっている。また、遊技者が上皿球抜きレバー１２３を操作することにより溢れ球排出口１２５を介して上皿１２１と連通するようになっており、上皿１２１の遊技球を下皿１２４に移動することが可能である。また、下皿１２４が遊技球で満杯となった時には、下皿球抜きレバー１２６の操作により下皿１２４の底面が開口して下皿１２４の下方に排出可能であり、遊技球を別箱に移すことができる。
【００１７】
下皿１２４の右側には発射ハンドル１４１が設けられている。発射ハンドル１４１は、手前側に突出して取り付けられたグリップ部１４２の外周にリング状の回動リング１４３を同軸に設けてなり、遊技者が回動リング１４３を時計方向に回動すれば、上皿１２１から供給される遊技球を遊技盤２１の盤面上に発射することができる。
【００１８】
図２は本遊技機の遊技盤２１を示す。本遊技機は、遊技盤２１上に打ち出された遊技球が所定の遊技領域たる入賞口３１に入球すると、乱数からなる抽出値が抽出され、該抽出値に基づいて特別遊技に移行するか否かの大当り判定を行い、その判定結果に基づいて特別画像表示装置６の画像や図柄を変動表示して上記判定結果を報知し、大当りとなると通常の遊技とは異なる特別遊技を実行するものである。
【００１９】
図２に示すように、遊技盤２１の盤面上には、盤面上を略円形に縁取るように盤面に対して垂直に帯状のレール２２，２３が設けてある。レール２２，２３は図中左側の一部が二重になっており、発射ハンドル１４１の操作で遊技球が外側レール２３に沿って発射され、レール２２，２３で囲まれた盤面の略円形領域内に入る。この略円形領域の中央には特別画像表示装置６が設けられ、その周囲に種々の入賞口３１，３５、大入賞口３２、多数の遊技釘、風車等が設けられている。
【００２０】
特別画像表示装置６の下方には入賞口３１が設けら、入賞口３１はソレノイドで作動する電動チューリップである。入賞口３１の左右両側には普通の入賞口３５が設けてある。
【００２１】
入賞口３１の下方には大入賞口３２が設けられる。大入賞口３２は、アタッカー扉が電動で作動して幅広の入球口を開閉し、「開」時には多くの入賞を見込むことができる。
【００２２】
また、特別画像表示装置６の左右両側には普通図柄作動ゲート３４が設けられており、ここを遊技球が通過すると、普通図柄表示部４１の普通図柄が変動する。普通図柄作動ゲート３４に入った遊技球は再び遊技盤２１上に出現する。
【００２３】
特別画像表示装置６の画像を表示する画像表示器６１はＬＣＤパネルで、遊技盤２１の中央に嵌設された画像表示枠２４の開口部２４１内に表示面を手前に向けて設けられる。特別画像表示装置６には画像表示器６１の表示面側に補助図柄５５を進出せしめたり、表示面外側位置に退出せしめる補助図柄装置５が付設してある。以下、本発明を適用した第１の実施形態の特別画像表示装置６と補助図柄装置５の詳細を説明する。
【００２４】
図２ないし図５に示すように、特別画像表示装置６は画像表示器６１とこれを制御する画像制御基板６２を備え、画像表示器６１の背面側に間隔をおいて画像制御基板６２が平行に配置され、この状態で透明の樹脂ケース６３に収納されている。樹脂ケース６３は横幅が画像表示器６１よりも大きく形成してあり、樹脂ケース６３内の横幅方向中央に画像表示器６１を設けるとともに、樹脂ケース６３内で画像表示器６１の左右両側にはそれぞれ、上記補助図柄装置５の駆動機構を構成する回転軸５１ａ，５１ｂが設けてある。各回転軸５１ａ，５１ｂは上下の軸端がそれぞれ樹脂ケース６３の上壁面および下壁面に回転自在に軸支され、両回転軸５１ａ，５１ｂは互いに平行に配設してある。
【００２５】
一方の回転軸５１ａ（各図の向かって左側の軸）には上下中間位置にギヤ５１１が取付てあり、該ギヤ５１１は樹脂ケース６３内に設置した電動モーター５２のモーター軸に設けたモーターギヤ５２１と噛合してある。また、両回転軸５１ａ，５１ｂの上端および下端にはそれぞれ、プーリー５１２が固定してある。そして、両回転軸５１ａ，５１ｂの上端のプーリー５１２間、および下端のプーリー５１２間にはそれぞれ環状のベルト５３が架け回すように張設してある。尚、プーリー５１２はその直径が画像表示器６１の厚さよりも大きくしてあり、かつ両軸上端の両プーリー５１２は画像表示器６１の上縁よりも高い位置に設けられ、下端の両プーリー５１２は画像表示器６１の下縁よりも低い位置に設けられ、上下の各ベルト５３は画像表示器６１よりも上下位置かつ前後位置に張設してある。
【００２６】
このように構成した駆動機構の両回転軸５１ａ，５１ｂは、電動モーター５２の駆動により各ギヤ５２１、５１１を介して一方の回転軸５１ａが回転し、更にベルト５３を介して他方の回転軸５１ｂが一連に回転するように構成してある。電動モーター５２は画像制御基板６２の指令により駆動するように電気的に接続してある。
【００２７】
そして両回転軸５１ａ，５１ｂには、フレキシブルな透明フィルム５４１からなる帯状の表示媒体５４が、画像表示器６１を横方向に囲むように環状に取付てある。表示媒体５４は、透明フィルム５４１の上縁および下縁がそれぞれ上下のベルト５３に沿って接着してあり、両回転軸５１ａ，５１ｂの回転により画像表示器６１のまわりを移動可能としてある。電動モーター５２の回転方向を変えることにより透明フィルム５４１の移動方向を左回りまたは右回りのいずれの方向にもできる。
【００２８】
表示媒体５４には、透明フィルム５４１の一部、例えば画像表示器６１の表示面に対向する位置に半透明または不透明の補助図柄５５が印刷してある（図例では２つの図柄が印刷してある）。補助図柄５５のまわりは透明で、遊技者からは画像表示器６１の表示面を透視可能である。そして補助図柄５５は、表示媒体５４の移動により、画像表示器６１の表示面側から背面側、または背面側から表示面側へ移動して、表示位置と非表示位置と変更可能である。
【００２９】
特別画像表示装置６の本体たる画像表示器６１、画像制御基板６２、これらを覆う樹脂ケース６３およびこれに組込まれた補助図柄装置５は、画像表示器６１の表示面が遊技盤２１に設けた画像表示枠２４の開口部２４１内に臨むように配置し、樹脂ケース６３の左右両側に設けた固定脚６３１をそれぞれ遊技盤２１の背面に締結固定してある。
【００３０】
補助図柄装置５は、通常、補助図柄５５を画像表示器６１の背面側の非表示位置に退出させおき、遊技者からは表示媒体５４の透明フィルム５４１を通して画像表示器６１の表示面のみが見えるようにしてある。そして、遊技盤２１に発射された遊技球が入賞口３１に入球し、特別画像表示装置６の画像表示器６１が図柄変動を開始して、例えばリーチ予告や大当り予告等の演出に移行すると、補助図柄装置５の両回転軸５１ａ，５１ｂを駆動して表示媒体５４を回転移動させ、補助図柄５５を画像表示器６１の表示面側の表示位置に進出せしめ、補助図柄５５とその背景で展開される画像表示器６１の画像とを組合わせた演出を行う。
【００３１】
このように、補助図柄５５を必要なときに上記表示位置へ進出せしめたり、上記非表示位置へ退出せしめて、画像表示器６１の画像と補助図柄５５とを組合わせて多彩な遊技進行上の演出が可能となる。また、補助図柄装置５は、表示媒体５４を画像表示器６１を囲む環状に形成したので、補助図柄５５の上記表示位置と上記非表示位置との間の移動距離が短くすみ、従来構造のように巻き戻しが不要で、補助図柄５５を迅速に移動させ、スピード感やメリハリのあるリーチ予告や大当り予告等の演出を行うことができる。従って、遊技者を飽きさせることのない興趣の豊かな遊技機となる。
【００３２】
上述の実施形態において、補助図柄装置５の表示媒体５４は、透明フィルム５４１で画像表示器６１を囲む環状にしたがこれに限らず、上下のベルト５３間を上下方向に架けわたすシート状に形成してもよい。
【００３３】
また、図６の本発明の第２の実施形態に示すように、補助図柄装置５の表示媒体５４は、画像表示器６１を囲むように環状に形成した透明フィルム５４２をベルトを用いずに直接に左右の両回転軸５１ａ，５１ｂに架けまわすように張設してもよい。尚、本実施形態の基本構造は第１の実施形態のそれと同一で、図において同一部材は同一符号で表す。
【００３４】
本実施形態では、回転軸５１ａを回転駆動せしめたときにこれが空転することを防ぐために、左右の両回転軸５１ａ，５１ｂに固定した上下両端の各プーリー５１３にはそれぞれ外周面に周方向に沿って所定の間隔をおいて複数の係合突起５１４を形成する一方、透明フィルム５４２には上縁および下縁に沿って複数の係合穴５４３が上記所定の間隔をおいて連接し、各プーリー５１３の係合突起５１４と透明フィルム５４２の係合穴５４３とを噛み合わせるようにしてある。
【００３５】
左右の両回転軸５１ａ，５１ｂには上下中間位置に、透明フィルム５４２の張りを確保するために、上下のプーリー５１３とほぼ同径のガイドプーリー５１５が固定してある。回転軸５１ａは上下中間位置にガイドプーリー５１５を設けた分、中間部の軸まわりのスペースが制約されるので、回転軸５１ａの上端に電動モーター５２が付設してある。電動モーター５２は樹脂ケース６３に固定し、モーター軸と回転軸５１ａ上端とを同軸直線上に連結してある。
【００３６】
本実施形態によれば、第１の実施形態と同様な作用効果が得られるうえ、ベルトを使用しない分、部品点数およびコストの削減がはかれる。
【００３７】
図７は第３の実施形態の要部を示すもので、リーチ予告や大当り予告等の文字、または一時的に遊技を中断する遊技者のための「休憩中」や「食事中」といった報知指標を画像表示器６１の下端部に表示せしめるものである。表示媒体５４は透明フィルム５４４の上下幅を小さくして上記報知指標を表示するのに充分な幅に設定するとともに、これに合わせて左右の回転軸５１ｃ，５１ｄの長さも短くしてあり、透明フィルム５４４を両回転軸５１ｃ，５１ｄに架け回して画像表示器６１の下端部を囲むように張設してある。
【００３８】
通常、上記報知指標を画像表示器６１背面側の非表示位置にしておき、必要に応じて透明フィルム５４４を移動させ、報知指標を画像表示器６１表示面側の表示位置へ表示させる。本実施形態によれば、表示媒体５４および駆動機構を報知指標の大きさに合わせて小型化できる。
【００３９】
図８および図９は本発明の第４の実施形態を示し、本実施形態は、透明フィルム以外の表示媒体５４Ａを用いたもので、基本構造は第１の実施形態のそれとほぼ同一である。表示媒体５４Ａは、半透明ないし不透明のゴムまたは軟質合成樹脂材を蜘蛛の巣状に成形したもので、画像表示器６１の表示面を覆うように設けてあり、かつ編み目より画像表示器６１の表示面が見えるようにしてある。表示媒体５４Ａは、その上縁および下縁を左右の回転軸５１ａ，５１ｂの各プーリー５１２間に環状に張設した上下の各ベルト５３にそれぞれ接着せしめてる。
【００４０】
通常、表示媒体５４Ａを画像表示器６１の背面側の非表示位置に退出させおき、例えばリーチ予告や大当り予告等の演出に移行すると、補助図柄装置５の両回転軸５１ａ，５１ｂを駆動してベルト５３を回転させ、表示媒体５４Ａを画像表示器６１の表示面側の表示位置に進出せしめ、表示媒体５４Ａとその背景で展開される画像表示器６１の画像とを組合わせた演出を行う。これによれば、第１の実施形態と同様な作用効果が得られる。
【００４１】
図１０および図１１は本発明の第５の実施形態に示し、これは複数の表示媒体５４ａ，５４ｂを設け、これらの補助図柄と画像表示器６１の画像とを組合わせた演出を行うようにしたものである。画像表示器６１の左右両側位置にはそれぞれ、画像表示器６１の側縁寄りの位置に左右一対の第１の回転軸５１ａ，５１ｂが配置してあり、更にこれらの外側に左右一対の第２の回転軸５１ｅ，５１ｆが配置してある。画像表示器６１の一方の側（図の向かって左側）の第１の回転軸５１ａおよび第２の回転軸５１ｅにはそれぞれ、電動モーター５２ａ，５２ｂが連結してある。
【００４２】
第１の回転軸５１ａ，５１ｂは、これらの上端のプーリー５１２間、および下端のプーリー５１２間にそれぞれ、第１のベルト５３ａが環状に張設してある。第１の回転軸５１ａ，５１ｂは電動モーター５２ａの駆動により一体に回転する。第２の回転軸５１ｅ，５１ｆは、上端および下端に設けた各プーリー５１２を、第１の回転軸５１ａ，５１ｂのものよりも大径としてある。第２の回転軸５１ｅ，５１ｆは、上端のプーリー５１２間、および下端のプーリー５１２間にそれぞれ、これらを架け回すように第２のベルト５３ｂが環状に張設してあり、電動モーター５２ｂの駆動により一体に回転する。上下の各第２のベルト５３ｂは各第１のベルト５３ａの外側に張設してある。
【００４３】
そして第１の回転軸５１ａ，５１ｂには、上下の第１のベルト５３ａを介して、補助図柄（図略）を印刷した透明フィルムからなる第１の表示媒体５４ａが画像表示器６１を囲むように環状に張設してある。一方、第２の回転軸５１ｅ，５１ｆには、上下の第２のベルト５３ｂを介して、補助図柄（図略）を印刷した透明フィルムからなる第２の表示媒体５４ｂが第１の表示媒体５４ａの外周を囲むように環状に張設してある。
【００４４】
本実施形態によれば、画像表示器６１の画像と組合わせて、第１の表示媒体５４ａの補助図柄を表示したり、第２の表示媒体５４ｂの補助図柄を表示したり、更に両表示媒体５４ａ，５４ｂの補助図柄を同時に表示することで、より多彩なリーチ予告や大当り予告等の遊技進行上の演出を行うことができる。
【００４５】
また、複数の表示媒体５４ａ，５４ｂを設ける場合、図１２に示すように、第２の表示媒体５４ｂを、画像表示器６１の背面側に平行に配設された図柄制御基板６２の背面側にまわすように張設してもよい。この場合、第２の回転軸５１ｅ，５１ｆをそれぞれ、図柄制御基板６２の左右両側に配設し、第１の回転軸５１ａ，５１ｂの左右両外側位置にそれぞれ、左右一対のガイド軸５６ａ，５６ｂを回転自在に設け、第２の表示媒体５４ｂを両第２回転軸５１ｅ，５１ｆおよび両ガイド軸５６ａ，５６ｂに架け回すように張設せしめる。
【００４６】
図１３は更に複数の表示媒体５４ａ，５４ｂ，５４ｃを備えた実施形態を示し、画像表示器６１の上下位置にそれぞれ、画像表示器６１の上縁および下縁に沿って横方向に延びる第３の回転軸５１ｇ，５１ｈを設け、第３の表示媒体５４ｃを第３の回転軸５１ｇ，５１ｈに架け回して画像表示器６１を縦方向に囲むように張設してもよい。このように複数の表示媒体を設けることで、複数種類あるリーチ等の演出に対し、各々の表示媒体を個別に対応させて効果的な演出を行うことができる。
【００４７】
図１４ないし図１６は本発明の第６の実施形態を示し、本実施形態は表示媒体５４を、画像表示器６１および画像制御基板６２を覆う樹脂ケース６３の外周を囲むように設けたものである。図１４ないし図１６に示すように、遊技盤２１の背面には画像表示枠２４の開口部２４１下方に棚状の台座７が後方へ向けて突設してあり、その上面に特別画像表示装置６の本体および補助図柄装置５が設置してある。
【００４８】
特別画像表示装置６は、画像表示器６１の表示面を画像表示枠２４の開口部２４１に向け、画像制御基板６１および画像制御基板６２が組込まれた樹脂ケース６３を台座７の上面に載置固定してある。画像表示枠２４の開口部２４１後縁と樹脂ケース６３の前面との間には間隙が設けてある。
【００４９】
台座７の上面には特別画像表示装置６の本体の左右両側にそれぞれ、回転軸５１ａ，５１ｂとガイド軸５６ｃ，５６ｄが立設してある。回転軸５１ａは、樹脂ケース６３の前面の側方位置で台座７に電動の駆動モーター５２を載置固定し、そのモーター軸を上方へ延長するように立設して、駆動モーター５２の駆動により回転可能としてある。回転軸５１ｂは、樹脂ケース６３の前面の側方位置に軸下端が台座７に回転可能に軸支されている。各ガイド軸５６ｃ，５６ｄは樹脂ケース６３の後面の側方位置に軸下端が台座７に回転可能に軸支されている。
【００５０】
そして、補助図柄５５を印刷した透明フィルム５４１からなる表示媒体５４は、各回転軸５１ａ，５１ｂおよび各ガイド軸５６ｃ，５６ｄに架け回して、画像表示装置６の樹脂ケース６３の前面と画像表示枠２４の開口部２４１後縁との間の間隙を通って、樹脂ケース６３を囲むように張設してある。尚、開口部２４１の後縁とこれに臨む表示媒体５４の前面部との間には、後付けの透明樹脂板からなるカバー板６４が介設してある。カバー板６４は上縁が樹脂ケース６３の前面上縁に着脱可能に連結してある。
【００５１】
本実施形態によれば、第１の実施形態と同様な作用効果が得られ、また表示媒体５４を樹脂ケース６３の外側に張設したので、表示媒体５４の取外し作業または取付け作業が作業性良好にでき、容易に異なる補助図柄が印刷されたもと交換することができる。
【００５２】
尚、上述の実施形態はすべての点で例示であって本発明の範囲を限定するものではなく、本発明の範囲には上述の実施形態を様々に変形、変更したものも含まれる。例えば本発明を画像表示装置を備えたパチスロ遊技機に適用してもよい。
【図面の簡単な説明】
【００５３】
【図１】本発明を適用した遊技機の斜視図である。
【図２】本発明の第１の実施形態を示すもので、遊技盤の概略正面図である。
【図３】上記遊技盤の概略側面図である。
【図４】上記遊技盤の概略平面図である。
【図５】上記第１の実施形態に用いる補助図柄装置の概略正面図である。
【図６】本発明の第２の実施形態に用いる補助図柄装置の概略正面図である。
【図７】本発明の第３の実施形態に用いる補助図柄装置の概略正面図である。
【図８】本発明の第４の実施形態に用いる補助図柄装置の概略正面図で、補助図柄を前面側へ進出せしめた状態の図である。
【図９】上記第４の実施形態の補助図柄装置の補助図柄を背面側へ退出せしめた状態の概略正面図である。
【図１０】本発明の第５の実施形態に用いる補助図柄装置の概略正面図である。
【図１１】上記第５の実施形態の補助図柄装置の概略平面図である。
【図１２】図１０に対応する第５の他の実施形態の補助図柄装置の概略平面図である。
【図１３】図１０に対応する第５の更に他の実施形態の補助図柄装置の概略平面図である。
【図１４】本発明の第６の実施形態を示す遊技盤の概略正面図である。
【図１５】上記遊技盤の概略側面図である。
【図１６】上記遊技盤の概略平面図である。
【符号の説明】
【００５４】
２１  遊技盤
５  補助図柄装置
５１ａ，５１ｂ，５１ｃ，５１ｄ，５１ｅ，５１ｆ，５１ｇ，５１ｈ  回転軸（駆動機構）
５３，５３ａ，５３ｂ  ベルト
５４，５４Ａ，５４ａ，５４ｂ，５４ｃ  表示媒体
５４１，５４２，５４４  透明フィルム
６  特別画像表示装置（画像表示装置）
６１  画像表示器
６２  画像制御基板
６３  樹脂ケース
【図１】
2005245732.tif 000003
【図２】
2005245732.tif 000004
【図３】
2005245732.tif 000005
【図４】
2005245732.tif 000006
【図５】
2005245732.tif 000007
【図６】
2005245732.tif 000008
【図７】
2005245732.tif 000009
【図８】
2005245732.tif 000010
【図９】
2005245732.tif 000011
【図１０】
2005245732.tif 000012
【図１１】
2005245732.tif 000013
【図１２】
2005245732.tif 000014
【図１３】
2005245732.tif 000015
【図１４】
2005245732.tif 000016
【図１５】
2005245732.tif 000017
【図１６】
2005245732.tif 000018